(57)【要約】【課題】本発明は、所定の形状に変形可能な吸収体を備える使い捨ておむつを提供することを課題とする。【解決手段】本発明の使い捨ておむつ１は、前身頃２１と後身頃２２とを少なくとも備え、幅方向と前記幅方向に直交する長手方向とを有するシャーシー２と、前身頃２１における所定位置から後身頃２２における所定位置まで長手方向に沿うように配設される縦長状の吸収体４と、を少なくとも備える。そして、吸収体４は、該吸収体４を前記長手方向において二等分する中心線から後身頃２２側における後縁９３までの所定位置に形成される屈曲誘導部を備える。【選択図】図２
2008012197.tif 000002
【特許請求の範囲】
【請求項１】
前身頃と後身頃とを少なくとも備え、幅方向と前記幅方向に直交する長手方向とを有するシャーシーと、
前記前身頃における所定位置から前記後身頃における所定位置まで前記長手方向に沿うように配設される縦長状の吸収体と、を少なくとも備える使い捨ておむつであって、
前記吸収体は、該吸収体を前記長手方向において二等分する中心線から前記後身頃側における後縁までの所定位置に形成される屈曲誘導部を備える使い捨ておむつ。
【請求項２】
前記屈曲誘導部は、
隣接する領域より幅狭になるよう形成された幅狭部、隣接する領域より該吸収体を構成する材料の密度を低くすることで形成される低密度部、隣接する領域より該吸収体を構成する材料の目付け量を小さくすることで形成される低目付部又は、異なる吸収体を離間して配置することで形成される離間部のいずれかである請求項１に記載の使い捨ておむつ。
【請求項３】
前記屈曲誘導部は、前記幅狭部であり、
前記幅狭部における両側には、該吸収体の幅方向における側縁で形成される切り欠き状の凹部がそれぞれ形成される請求項２に記載の使い捨ておむつ。
【請求項４】
前記吸収体の前記幅方向における両側縁に前記長手方向に沿うように配置される一対の第１伸縮性部材と、を備え、
前記伸縮性部材の前記長手方向における両端は、前記屈曲誘導部に対して前記長手方向における一方側と他方側のそれぞれに配置される請求項１から３のいずれかに記載の使い捨ておむつ。
【請求項５】
装着状態において、
前記吸収体は、該吸収体における前記屈曲誘導部から前記後縁までが、前記屈曲誘導部を屈曲腺として該吸収体における厚さ方向に立ち上がるようにして屈曲する請求項１から４のいずれかに記載の使い捨ておむつ。
【請求項６】
前身頃と後身頃とを少なくとも備え、幅方向と前記幅方向に直交する長手方向とを有するシャーシーと、
前記前身頃における所定位置から前記後身頃における所定位置まで前記長手方向に沿うように配設される縦長状の吸収体と、を少なくとも備える使い捨ておむつであって、
前記吸収体は、
主に前記前身頃側に配置される前身頃側吸収部と、
主に前記後身頃側に配置される後身頃側吸収部と、
前記前身頃側吸収部と前記後身頃側吸収部との間に形成される中央吸収部と、
前記前身頃側吸収部と前記中央吸収部との間に形成される第１幅狭部及び／又は前記後身頃側吸収部と前記中央吸収部との間に形成される第２幅狭部と、を備える使い捨ておむつ。
【請求項７】
前記中央吸収部は、前記幅方向外側にそれぞれ突出する両凸状である請求項６に記載の使い捨ておむつ。
【請求項８】
前記中央吸収部は、該中央吸収部を前記幅方向に二等分する中心線の両側に前記長手方向に沿うように形成される一対の空隙部又は肉薄部を備える請求項７に記載の使い捨ておむつ。
【請求項９】
前記空隙部又は肉薄部それぞれにおける前記幅方向外側の外郭線は、前記幅方向外側に突出する凸状である請求項８に記載の使い捨ておむつ。
【請求項１０】
前記第２幅狭部における両側には、該吸収体の幅方向における側縁で形成される切り欠き状の凹部がそれぞれ形成される請求項６から９のいずれかに記載の使い捨ておむつ。
【請求項１１】
前記凹部は、前記後身頃側吸収部における側縁と、前記中央吸収部における側縁とにより形成され、
前記凹部を形成する前記後身頃側吸収部の側縁は、略直線であり、
前記空隙部又は前記肉薄部それぞれは、該空隙部又は該肉薄部における前記後身頃側の端部が前記後身頃側吸収部の側縁における延長線上又はその近傍に位置するよう形成される請求項１０に記載の使い捨ておむつ。
【請求項１２】
前記吸収体の前記幅方向における両側縁近傍に前記長手方向に沿うように配置される一対の第１伸縮性部材を備え、
前記第１伸縮性部材の前記長手方向における両端は、前記吸収体の長手方向における前縁近傍及び後縁近傍にそれぞれ配置される請求項６から１１のいずれかに記載の使い捨ておむつ。
【請求項１３】
前記後身頃に配置される第３伸縮部材を備え、
前記第３伸縮部材は、前記幅方向に延びるように配置される請求項６から１２のいずれかに記載の使い捨ておむつ。
【請求項１４】
少なくとも装着時において、前記シャーシーの前記長手方向における前縁及び後縁により形成される胴開口部と、前記胴開口部と対向する側に形成され前記シャーシーの幅方向における側縁により形成される一対の脚開口部と、を有するように形成され、
前記後身頃における前記脚開口を形成する側縁に沿うように配置される第２伸縮部材を備え、
前記第２伸縮部材の少なくとも一部は、前記第２幅狭部の近傍に配置される請求項６から１３のいずれかに記載の使い捨ておむつ。
【請求項１５】
装着状態において、
前記後身頃側吸収部は、前記第２幅狭部を屈曲腺として前記吸収体における厚さ方向に立ち上がるようにして屈曲し、
前記中央吸収部は、幅方向外側における側方領域がそれぞれ前記厚さ方向に立ち上がるようにして屈曲し、
前記屈曲した後身頃側吸収部と、前記中央吸収部における幅方向の中央域と、前記屈曲した側方領域とにより所定の空洞部を形成する請求項６から１４のいずれかに記載の使い捨ておむつ。
【請求項１６】
前記中央吸収部は、該中央吸収部を前記幅方向に二等分する中心線の両側に前記長手方向に沿うように形成される一対の空隙部又は肉薄部を備え、
前記側方領域は、前記空隙部又は肉薄部それぞれにおける前記幅方向外側の領域である請求項１５に記載の使い捨ておむつ。
【請求項１７】
前身頃と後身頃とを少なくとも有するシャーシーを備える使い捨ておむつに用いられる使い捨ておむつ用吸収体であって、
主に前記前身頃側に配置される前身頃側吸収部と、
主に前記後身頃側に配置される後身頃側吸収部と、
前記前身頃側吸収部と前記後身頃側吸収部との間に形成される中央吸収部と、
前記前身頃側吸収部と前記中央吸収部との間に形成される第１幅狭部及び／又は前記後身頃側吸収部と前記中央吸収部との間に形成される第２幅狭部と、
を備える使い捨ておむつ用吸収体。
【請求項１８】
前記中央吸収部は、前記幅方向にそれぞれ突出する両凸状である請求項１７に記載の使い捨ておむつ用吸収体。
【請求項１９】
前記中央吸収部は、該中央吸収部を前記幅方向に二等分する中心線の両側に前記長手方向に沿うように形成される一対の空隙部又は肉薄部を備える請求項１８に記載の使い捨ておむつ用吸収体。
【発明の詳細な説明】
【技術分野】
【０００１】
本発明は、使い捨ておむつに関する。
【背景技術】
【０００２】
従来より、身体から排泄される尿、便等の排泄物を吸収保持する吸収性物品として、例えば、液透過性の表面シートと、液不透過性の裏面シートと、表面シート及び裏面シートとの間に配置される液保持性の吸収体と、を備える使い捨ておむつが知られている。このような使い捨ておむつは、着用時に排泄される尿等の排泄物を液透過性の表面シートを介して吸収体で保持し、液不透過性の裏面シートにより、排泄物が吸収性物品の外に漏れ出すのを防ぐ構造になっている。
【０００３】
使い捨ておむつにおいて、排便等の排泄物の漏れ防止や保持機能の向上を目的として様々な工夫がなされている。例えば、透液性表面シートと不透液性裏面シートとの間に吸収性コアが介在し、その吸収性コアが厚さ方向を二分する上層コアと下層コアとで構成され、かつ、装着時において上層コアが臀部に当接する部位において前後方向を二分する前側コアと後側コアとで構成されるとともに、前後方向において所要寸法離間することで、臀部当接部位の横方向に延び、所定の大便保持用ポケットが構成される使い捨ておむつが提供されている（例えば、特許文献１参照）。
【０００４】
しかし、特許文献１に記載の発明であっても、吸収性物品の着用時に、着用者の臀部にてオムツが轢きこんだ際に、前側コアと下層、後側コアと下層との間に吸収体の厚み分の段差が発生することから、着用者に違和感を与えてしまう場合があった。
【０００５】
また、吸収体コアの横方向側縁が互いに平行に面取りされ、吸収体コアの隣接した独立セグメント間の長さ方向移動を助長することを特徴としており、それにより着用者の体の前部から後部にかけた体の相違に適応する吸収体を提供することができる。この構成によりコアの長さ方向縁が自由になり、Ｚ方向での相対移動を前記縁において最大にすることができ、それにより体との密着を高めることができる使い捨ておむつが提供されている（例えば、特許文献２）。
【０００６】
しかし、独立セグメントの縁が、中心部に対してＺ方向に体から離れた位置へ相対移動し、それにより、中心部が体と密着する状態になる変形を狙いとしているが、変形を制御することが出来ていないため、必ずしも狙いとした変形ができないという場合があった。
【特許文献１】特許第３１３０４３８号公報
【特許文献２】特許第３２３３９３０号公報
【発明の開示】
【発明が解決しようとする課題】
【０００７】
本発明は、以上に鑑みてなされたものであり、所定の形状に変形可能な吸収体を備える使い捨ておむつを提供することを課題とする。
【課題を解決するための手段】
【０００８】
本発明者は、縦長状の吸収体の両側に切り欠き状の凹部を形成し該吸収体を所定形状に変形可能にすることで、排便等の排泄物の漏れ防止機能や収容機能を向上させることが可能であることを見出し、本発明を完成した。
【０００９】
（１）  前身頃と後身頃とを少なくとも備え、幅方向と前記幅方向に直交する長手方向とを有するシャーシーと、前記前身頃における所定位置から前記後身頃における所定位置まで前記長手方向に沿うように配設される縦長状の吸収体と、を少なくとも備える使い捨ておむつであって、前記吸収体は、該吸収体を前記長手方向において二等分する中心線から前記後身頃側における後縁までの所定位置に形成される屈曲誘導部を備える使い捨ておむつ。
【００１０】
（２）  前記屈曲誘導部は、隣接する領域より幅狭になるよう形成された幅狭部、隣接する領域より該吸収体を構成する材料の密度を低くすることで形成される低密度部、隣接する領域より該吸収体を構成する材料の目付け量を小さくすることで形成される低目付部又は、異なる吸収体を離間して配置することで形成される離間部のいずれかである（１）に記載の使い捨ておむつ。
【００１１】
（３）  前記屈曲誘導部は、前記幅狭部であり、前記幅狭部における両側には、該吸収体の幅方向における側縁で形成される切り欠き状の凹部がそれぞれ形成される（２）に記載の使い捨ておむつ。
【００１２】
（４）  前記吸収体の前記幅方向における両側縁に前記長手方向に沿うように配置される一対の第１伸縮性部材と、を備え、前記伸縮性部材の前記長手方向における両端は、前記屈曲誘導部に対して前記長手方向における一方側と他方側のそれぞれに配置される（１）から（３）のいずれかに記載の使い捨ておむつ。
【００１３】
（５）  装着状態において、前記吸収部は、該吸収体における前記屈曲誘導部から前記後縁までが、前記屈曲誘導部を屈曲腺として該吸収体における厚さ方向に立ち上がるようにして屈曲する（１）から（４）のいずれかに記載の使い捨ておむつ。
【００１４】
（６）  前身頃と後身頃とを少なくとも備え、幅方向と前記幅方向に直交する長手方向とを有するシャーシーと、前記前身頃における所定位置から前記後身頃における所定位置まで前記長手方向に沿うように配設される縦長状の吸収体と、を少なくとも備える使い捨ておむつであって、前記吸収体は、主に前記前身頃側に配置される前身頃側吸収部と、主に前記後身頃側に配置される後身頃側吸収部と、前記前身頃側吸収部と前記後身頃側吸収部との間に形成される中央吸収部と、前記前身頃側吸収部と前記中央吸収部との間に形成される第１幅狭部及び／又は前記後身頃側吸収部と前記中央吸収部との間に形成される第２幅狭部と、を備える使い捨ておむつ。
【００１５】
（７）  前記中央吸収部は、前記幅方向外側にそれぞれ突出する両凸状である（６）に記載の使い捨ておむつ。
【００１６】
（８）  前記中央吸収部は、該中央吸収部を前記幅方向に二等分する中心線の両側に前記長手方向に沿うように形成される一対の空隙部又は肉薄部を備える（７）に記載の使い捨ておむつ。
【００１７】
（９）  前記空隙部又は肉薄部それぞれにおける前記幅方向外側の外郭線は、前記幅方向外側に突出する凸状である（８）に記載の使い捨ておむつ。
【００１８】
（１０）  前記第２幅狭部における両側には、該吸収体の幅方向における側縁で形成される切り欠き状の凹部がそれぞれ形成される（６）から（９）のいずれかに記載の使い捨ておむつ。
【００１９】
（１１）  前記凹部は、前記後身頃側吸収部における側縁と、前記中央吸収部における側縁とにより形成され、前記凹部を形成する前記後身頃側吸収部の側縁は、略直線であり、前記空隙部又は前記肉薄部それぞれは、該空隙部又は該肉薄部における前記後身頃側の端部が前記後身頃側吸収部の側縁における延長線上又はその近傍に位置するよう形成される（１０）に記載の使い捨ておむつ。
【００２０】
（１２）  前記吸収体の前記幅方向における両側縁近傍に前記長手方向に沿うように配置される一対の第１伸縮性部材を備え、前記第１伸縮性部材の前記長手方向における両端は、前記吸収体の長手方向における前縁近傍及び後縁近傍にそれぞれ配置される（６）から（１１）のいずれかに記載の使い捨ておむつ。
【００２１】
（１３）  前記後身頃に配置される第３伸縮部材を備え、前記第３伸縮部材は、前記幅方向に延びるように配置される（６）から（１２）のいずれかに記載の使い捨ておむつ。
【００２２】
（１４）  少なくとも装着時において、前記シャーシーの前記長手方向における前縁及び後縁により形成される胴開口と、前記胴開口部と対向する側に形成され前記シャーシーの幅方向における側縁により形成される一対の脚開口部と、を有するように形成され、前記後身頃における前記脚開口を形成する側縁に沿うように配置される第２伸縮部材を備え、前記第２伸縮部材の少なくとも一部は、前記第２幅狭部の近傍に配置される（６）から（１３）のいずれかに記載の使い捨ておむつ。
【００２３】
（１５）  装着状態において、前記後身頃側吸収部は、前記第２幅狭部を屈曲腺として前記吸収体における厚さ方向に立ち上がるようにして屈曲し、前記中央吸収部は、幅方向外側における側方領域がそれぞれ前記厚さ方向に立ち上がるようにして屈曲し、前記屈曲した後身頃側吸収部と、前記中央吸収部における幅方向の中央域と、前記屈曲した側方領域とにより所定の空洞部を形成する（６）から（１４）のいずれかに記載の使い捨ておむつ。
【００２４】
（１６）  前記中央吸収部は、該中央吸収部を前記幅方向に二等分する中心線の両側に前記長手方向に沿うように形成される一対の空隙部又は肉薄部を備え、前記側方領域は、前記空隙部又は肉薄部それぞれにおける前記幅方向外側の領域である（１５）に記載の使い捨ておむつ。
【００２５】
（１７）  前身頃と後身頃とを少なくとも有するシャーシーを備える使い捨ておむつに用いられる使い捨ておむつ用吸収体であって、主に前記前身頃側に配置される前身頃側吸収部と、主に前記後身頃側に配置される後身頃側吸収部と、前記前身頃側吸収部と前記後身頃側吸収部との間に形成される中央吸収部と、前記前身頃側吸収部と前記中央吸収部との間に形成される第１幅狭部及び／又は前記後身頃側吸収部と前記中央吸収部との間に形成される第２幅狭部と、を備える使い捨ておむつ用吸収体。
【００２６】
（１８）  前記中央吸収部は、前記幅方向にそれぞれ突出する両凸状である（１７）に記載の使い捨ておむつ用吸収体。
【００２７】
（１９）  前記中央吸収部は、該中央吸収部を前記幅方向に二等分する中心線の両側に前記長手方向に沿うように形成される一対の空隙部又は肉薄部を備える（１８）に記載の使い捨ておむつ用吸収体。
【発明の効果】
【００２８】
本発明によれば、所定の形状に変形可能な吸収体を備える使い捨ておむつを提供することができる。
【発明を実施するための最良の形態】
【００２９】
以下、本発明の実施形態について、図面を参照しながら説明する。なお、本発明の実施形態は、下記の実施形態に何ら限定されることなく、本発明の技術的範囲は、これに限定されるものではない。
【００３０】
また、本実施形態においては、主に前身頃と後身頃とを所定の接合部において接合することにより胴開口及び一対の脚開口を形成するパンツ型の使い捨ておむつについて説明するが、本発明はこのタイプ使い捨ておむつに限定されない。例えば、前身頃と後身頃とを係止部材等で係止させることにより着用可能な展開型の使い捨ておむつを含む。また、例えば、パンツ型に形成された使い捨ておむつの前身頃及び後身頃の所定の接合部において、展開型の使い捨ておむつに用いられるような再係止が可能な面ファスナー等の係止部材により係止され、パンツ型の使い捨ておむつでありながら容易に当該おむつの係止を解除し、パンツ型の使い捨ておむつを展開及び再係止させることが可能な使い捨ておむつを含む。
【００３１】
さらに、本実施形態においては、子供用の使い捨ておむつについて説明するが、本発明においてはこれに限らない。例えば、大人用の使い捨ておむつを含む。また、本発明に係る使い捨ておむつの吸収体においては、おむつカバー等に用いられる尿取りパット等のおむつパットを含む。
【００３２】
図１は、本発明の第１実施形態に係る使い捨ておむつの斜視図である。図２は、第１実施形態に係る使い捨ておむつを展開した状態を示す展開図である。図３は、図２のＸ−Ｘ断面図である。図４は、第１実施形態に係る使い捨ておむつの分解組立図である。図５（Ａ）は、第１実施形態に係る使い捨ておむつにおける吸収体の正面図である。図５（Ｂ）は、図５（Ａ）のＸ―Ｘ断面図である。図６（Ａ）から（Ｄ）は、吸収体の変形状態を示す図である。図７は、変形後の吸収体を示す斜視図である。図８は、装着時における吸収体の状態を説明する図である。図９は、第１実施形態の変形形態に係る使い捨ておむつを展開した状態を示す展開図である。図１０は、第２実施形態に係る使い捨ておむつを展開した状態を示す展開図である。図１１（Ａ）は、第２実施形態に係る使い捨ておむつにおける吸収体の正面図であり、（Ｂ）は、変形後の吸収体を示す斜視図である。図１２は、装着時における吸収体の状態を説明する図である。図１３は、第３実施形態に係る使い捨ておむつを展開した状態を示す展開図である。図１４は、吸収体の変形形態を示す平面図である。図１５は、吸収体の変形形態を示す平面図である。図１６は、吸収体の変形形態を示す平面図である。図１７（Ａ）は、吸収体の変形形態を示す平面図である。図１７（Ｂ）は、図１７（Ａ）のＹ―Ｙ断面図である。図１８は、吸収体の変形形態を示す平面図である。
【００３３】
［１］第１実施形態
［１．１］全体構成
本発明の第１実施形態におけるパンツ型の使い捨ておむつ１を用いて、本発明に係る使い捨ておむつの全体構成を説明する。なお、本実施形態においては、使い捨ておむつ１のうち着用者の身体に向けられる一方側を肌当接面側とし、肌当接面側と反対の他方側を非肌当接面側とする。
【００３４】
図１に示すように、本実施形態に係る使い捨ておむつ１は、使い捨ておむつ１の外形を形成し、装着時において胴周りを形成するシャーシー２と、着用者の股間部に該当する位置に配置される股下部２３と、を備える。また、図２に示すように、シャーシー２は、着用者の腹部側に配置される前身頃２１と、着用者の背部側に配置される後身頃２２と、を有し、前身頃２１と後身頃２２との間に股下部２３が配置される。
【００３５】
股下部２３は、使い捨ておむつ１の幅方向に対して、前身頃２１及び後身頃２２よりも幅狭になっており、股下部２３と連続する前身頃２１及び後身頃２２もその一部において幅狭になっている。言い換えると、使い捨ておむつ１は、展開状態において、長手方向における両縁側が幅広であり、長手方向における中央域が幅狭になるよう形成される。つまり、使い捨ておむつ１における幅方外側の側縁９５、９７は、長手方向における中央域が狭くなるような凹状部２０５を形成する。言い換えると、使い捨ておむつ１は、いわゆる砂時計型に形成される。
【００３６】
図１に示すように、使い捨ておむつ１は、前身頃２１及び後身頃２２の両側縁に形成される所定の接合部２４において、前身頃２１と後身頃２２とを接合することにより、パンツ型形に形成される。
【００３７】
具体的には、図２に示すように、前身頃２１における接合部２４ａと後身頃２２における接合部２４ｂとを貼り合わせるようにして接合することで、パンツ型に形成される。
【００３８】
そして、図１に示すように、側縁９５、９７の一部により構成される凹状部２０５それぞれが一対の脚開口７を形成する。そして、展開状態における長手方向における両縁（前縁９１及び後縁９３）が胴開口８を形成する。
【００３９】
脚開口７には、該脚開口７における開口に沿うように所定の弾性部材を配置することができる。具体的には、凹状部２０５を形成する前身頃２１及び後身頃２２における側縁部分に、該側縁部分に沿うように糸状若しくは帯状の弾性部材７２をそれぞれ配置することができる。これにより、いわゆるレッグギャザー７１を設けることができる。
【００４０】
同様に、胴開口８は、該胴開口８における開口に沿うように所定の弾性部材を配置することができる。具体的には、前身頃２１における前縁９１に該前縁９１に沿うように糸状若しくは帯状の弾性部材８２を配置すると共に、後身頃２２における後縁９３に該後縁９３に沿うように糸状若しくは帯状の弾性部材８２を配置することができる。これにより、いわゆるウエストギャザー８１を設けることができる。
【００４１】
なお、本実施形態においては、前身頃２１と後身頃２２とを有するシャーシー２の前身頃２１と後身頃２２との間に股下部２３を配置したが、本発明においては、このような形態に限定されない。例えば、シャーシー２が前身頃２１、後身頃２２及び股下部２３を有する構成であってもよい。また、例えば、シャーシー２が前身頃２１及び後身頃２２を有し、表面シート３、吸収体４及び裏面シート５を有する独立した股下部をシャーシー２と接合させるものであってもよい。この場合、股下部における裏面シート５とシャーシー２とを接合してもよく、裏面シート５にシャーシー２の役割をもたせるものであってもよい。
【００４２】
また、図４に示すように、使い捨ておむつ１は、着用者の肌当接面側に設けられ、表面層を構成する縦長状に形成される液透過性の表面シート３と、表面シート３とシャーシー２との間に配置され、吸収層を構成する縦長状に形成された液保持性の吸収体４と、着用者の非肌当接面側に設けられ、裏面層を構成する縦長状に形成された液不透過性の裏面シート５とを有する。表面シート３、吸収体４及び裏面シート５のそれぞれは、股下部２３を介して前身頃２１から後身頃２２に沿って配置される。これにより、排泄部から排泄された尿等の排泄物は、表面シート３における液透過領域を透過して、吸収体４で吸収される。非肌当接面側に配置される裏面シート５は、液不透過性であるため、尿等の排泄物は非肌当接面側には透過せず、吸収体４に吸収された状態で保持されることになる。
【００４３】
なお、本実施形態においては、裏面シート５は、着用者の非肌当接面側に配置したが、例えば、吸収体４とシャーシー２との間、若しくは、シャーシー２が複数枚のシート部材から形成される場合においては、それぞれのシート部材の間に配置してもよい。また、裏面シート５は、この裏面シート５の非肌当接面側に不織布等を接合させたものを使用してもよい。裏面シート５の非肌当接面側に不織布等を接合させることにより、着用者の装着時等における肌触りが向上するため好ましい。また、裏面シート５にフィルムを使用した場合には、フィルムに不織布等を接合させることにより、例えば、フィルムの擦れから生じる不快な音の発生を防止できるため好ましい。
【００４４】
図３又は図４に示すように、使い捨ておむつ１は、弾性部材６１と防漏シート６２を用いて形成される防漏壁６を備える。防漏壁６は、吸収体４の幅方向外側の側縁に吸収体４の長手方向に沿って配置されている。具体的には、吸収体４と、シャーシー２又は裏面シート５との間から吸収体４の厚さ方向に延出するように防漏シート６２を設け、その防漏シート６２の固定されていない端部側に少なくとも１本の弾性部材６１を配置し、ホットメルト接着剤等により固定する。そして、防漏シート６２を吸収体４の幅方向の中心側に吸収体４を包むように肌当接面側に折り返し、さらに吸収体４の幅方向外縁側に折り返すことにより断面がＺ状になるように形成する（図３参照）。これにより、防漏壁６は、形成される。なお、防漏壁６は、防漏シートを吸収体４の幅方向に延出したままの状態で形成してもよい。
【００４５】
防漏壁６は、吸収体４から吸収体４の幅方向外縁側に延出している場合においては、吸収体４の長手方向における略中央領域４０において、吸収体４と防漏壁６における弾性部材６１との距離が２０ｍｍ以上の範囲にあることが好ましい。また、防漏壁６が折り返して配置されている場合においては、略中央領域４０において防漏壁６の防漏シート６２を幅方向に広げた状態において、吸収体４と防漏壁６における弾性部材６１との距離が２０ｍｍ以上の範囲にあることが好ましい。
【００４６】
［１．２］シャーシー
図１又は図２に示すように、シャーシー２は、着用時（装着時）における着用者の腹部側に配置される前身頃２１と、着用者の背部側に配置される後身頃２２と、を有する。更に、シャーシー２は、前身頃２１と、後身頃２２との間に配置される股下部２３を備える。シャーシー２は、前身頃２１と後身頃２２とのそれぞれの両側縁の一部が接合されてなる接合部２４を備える。言い換えると、前身頃２１における接合部２４ａ、２４ａと、後身頃２２における接合部２４ｂ、２４ｂとを、例えば、超音波シールにより間欠的に接合することで、前身頃２１と後身頃２２とが接合される。これにより、シャーシー２は、パンツ形状に形成される。この接合部２４における他の接合方法としては、熱シールやホットメルト接着剤等による接合を例示できる。
【００４７】
胴開口８の周領域に形成されるウエストギャザー８１には、複数の糸状の弾性部材８２が配置される。なお、弾性部材８２は、帯状のものであってもよい。弾性部材８２は、例えば、ポリウレタンとポリプロピレンの混合繊維から形成される不織布等のような伸縮性不織布や伸縮フィルム等の伸縮性を有する弾性シートを用いることができる。
【００４８】
脚開口７の少なくとも一部に形成されるレッグギャザー７１には、複数の糸状の弾性部材７２が配置される。なお、弾性部材７２は、帯状のものであってもよい。弾性部材７２は、例えば、ポリウレタンとポリプロピレンの混合繊維から形成される不織布等のような伸縮性不織布や伸縮フィルム等の伸縮性を有する弾性シートを用いることができる。
【００４９】
図１に示すように、レッグギャザー７１を構成する弾性部材７２は、脚開口７の開口周りに沿うように配置される。図１におけるパンツ型の状態において、弾性部材７２は、脚開口７における上側（胴開口８側）にアーチ状に配置される。図２の展開図において説明すると、弾性部材７２は、脚開口７を構成する側縁９５、９７の一部である凹状部２０５の一部に沿うように配置される。
【００５０】
具体的には、弾性部材７２は、凹状部２０５を構成する前身頃２１側の側縁及び後身頃２２側の側縁それぞれに沿うように配置され、股下部２３の側縁には配置されていない。そして、後身頃２２における脚開口７を構成する側縁に沿うように配置される第２伸縮部材である弾性部材７２は、該弾性部材７２における長手方向内側の端部が、後述する吸収体４における第２幅狭部の近傍に位置するよう配置される。
【００５１】
シャーシー２の全部又は一部には、幅方向に向かう糸状の弾性部材２６が長手方向に対し、所定の間隔で配置される。言い換えると、前身頃２１及び後身頃２２の全部又は一部に糸状の弾性部材２６が配置される。これにより、使い捨ておむつ１がずり下がること等が防止される。なお、本発明においては、使い捨ておむつ１は、シャーシー２に糸状の弾性部材２６を配置させたが、本発明においてはこれに限らない。例えば、シャーシー２の全部又は一部に伸縮性不織布や伸縮フィルム等の伸縮性を有する弾性シートを配置してもよい。
【００５２】
［１．３］吸収体
［１．３．１］全体構成
図５（Ａ）又は図５（Ｂ）に示すように、吸収体４は、縦長状に形成されている。吸収体４は、主に前身頃２１側に配置される前身頃側吸収部４３と、後身頃２２側に配置される後身頃側吸収部４４と、股下部２３に配置される中央吸収部４５と、を備える。そして、前身頃側吸収部４３と中央吸収部４５との間に形成される第１幅狭部１００と、後身頃側吸収部４４と中央吸収部４５との間に形成される第２幅狭部１１０とを備える。
【００５３】
吸収体４は、略長方形で側縁１９５、１９７が、吸収体４の前縁１９１から長手方向に延びる所定長さ直線と、この直線に連続する幅方向内側に突出する第１の凹状と、この第１の凹部に連続する幅方向外側に膨らむ凸状と、この凸状に連続する第２の凹状と、この第２の凹状に連続する長手方向に延びる所定長さの直線とにより構成される。この吸収体４における幅方向における外側には、側縁１９５、１９７により構成される第１凹部４６と第２凹部４７とが形成される。言い換えると、第１幅狭部１００の両端に第１凹部４６が形成され、第２幅狭部１１０の両端に第２凹部４７が形成される。
【００５４】
そして、中央吸収部４５は、側縁１９５ｂ、１９７ｂが幅方向外側に膨らむような両凸状である。また、中央吸収部４５は、該中央吸収部４５を幅方向に二等分する中心線Ｃの両側に長手方向に沿うように形成される一対の空隙部４１（又は肉薄部）を備える。
【００５５】
空隙部４１（又は肉薄部）は、第１幅狭部１００及び第２幅狭部１１０と共に、吸収体４の変形を誘導する機能を有する。例えば、第２幅狭部１１０は、後身頃側吸収部４４を厚さ方向に立ち上がるように屈曲することを誘導可能である。例えば、空隙部４１は、該空隙部４１の幅方向外側の領域を厚さ方向に立ち上がるよう屈曲することを誘導する。そして、吸収体４がこのように変形することで、例えば、排便を所定量収容可能な空洞部４８（図７参照）を形成することができる。
【００５６】
［１．３．１．１］前身頃側吸収部
前身頃側吸収部４３は、略長方形であり、中央吸収部４５側が幅狭になるよう側縁１９５ａ、１９７ａが幅方向内側に向かうよう変形している。前身頃側吸収部４３は、例えば、排尿部に当接し排泄された排尿を吸収する。
【００５７】
［１・３・１．２］後身頃側吸収部
後身頃側吸収部４４は、略長方形であり、中央吸収部４５側が幅狭になるよう側縁１９５ａ、１９７ａが幅方向内側に向かうよう変形している。後身頃側吸収部４４は、例えば、排便等の排泄物を吸収すると共に、該排便等の漏れを抑制する。
【００５８】
［１．３．１．３］中央吸収部及び空隙部
中央吸収部４５は、幅方向外側にそれぞれ突出する両凸状である。中央吸収部４５は、それぞれが互いに相反する方向であって吸収体４の幅方向外側に膨らむように突出する一対の凸状部４２、４２を有する。凸状部４２、４２における外縁の形状は、例えば、曲率の低い湾曲状に形成されることが好ましいが、本発明においてはこれに限らない。例えば、台形状に形成したものであってもよい。さらに、本実施形態においては、凸状部４２、４２は、中央吸収部４５において、一対設けたが本発明においてはこれに限らない。例えば、一対の凸状部４２、４２を中央吸収部４５に複数設けてもよい。
【００５９】
凸状部４２、４２の幅方向における内側には、吸収体４の幅方向を二分する略中心線Ｃに対し互いに対称であって、長手方向に沿うように伸びる縦長状の空隙部４１、４１が形成される。言い換えると、空隙部４１、４１それぞれの幅方向外側に凸状部４２、４２が形成される。空隙部４１、４１は、吸収体４を構成する吸収性材料を配置しないことにより形成される。空隙部４１、４１は、吸収体４の長手方向に伸びる縦長状であると共に、該空隙部４１、４１における幅方向外側の外郭線は、幅方向外縁側に膨らむように突出する凸状に形成される。
【００６０】
凸状部４２、４２は、中央吸収部４５における厚さ方向に立ち上がるように屈曲することが可能である。例えば、中央吸収部４５に幅方向外側から幅方向内側に向かうように力が加えられた場合に、凸状部４２、４２は、中央吸収部４５における厚さ方向に立ち上がるように屈曲する。例えば、中央吸収部４５の幅を使用対象者の股下幅よりも広くすることで、大腿部により幅方向内側に向かう力を受けやすくなる。
【００６１】
空隙部４１、４１は、上述した凸状部４２、４２の屈曲を誘導する機能を有することができる。すなわち、凸状部４２、４２は、空隙部４１、４１を屈曲線として屈曲することができ、屈曲した状態を保持しやすくする。
【００６２】
具体的には、図６（Ｂ）に示すように、空隙部４１、４１は、中央吸収部４５の幅方向外側である側縁１９５ｂ、１９７ｂの側に突出するような凸状の湾曲部４１１、４１１と、長手方向に沿うように延びる直線状の起点部４１２、４１２とを備える。使い捨ておむつ１の着用時（装着時）において、着用者の大腿部から幅方向内側への圧縮力を受け、凸状部４２、４２が変形しようとする場合には、直線状に形成された起点部４１２、４１２が屈曲起点（線）になる。湾曲部４１１、４１１は、外縁（外郭線）が湾曲しているため応力を分散させてしまうためである。凸状部４２、４２が着用者の肌当接面側に立ち上がるような変形をすると、凸状部４２、４２から空隙部４１、４１に伝わる圧縮力は、空隙部４１、４１の湾曲部４１１、４１１において、湾曲部４１１、４１１の接線方向に当該圧縮力を逃がすため、空隙部４１、４１を潰すことなく保持することが可能になる。また、空隙部４１、４１は、吸収性材料を配置しないため、尿等の排泄物は、抵抗の少ない空隙部４１、４１の内部を自由に走り、他方向へすばやく拡散することが可能となるため、吸収速度を向上させることができる。
【００６３】
なお、湾曲部４１１、４１１は、例えば、凸状部４２、４２の外縁である側縁１９５ｂ、１９７ｂと略同平行（例えば、回転軸が同軸等）の円弧を描くように形成されることが好ましい。これにより、例えば、吸収体４の割れや千切れ等を防止することが可能となるためである。また、例えば、使い捨ておむつ１の着用時において、着用者の大腿部から圧縮力を受けても、凸状部４２、４２から伝わる圧縮力を湾曲部４１１、４１１の接線方向に逃がすことが可能になり、空隙部４１、４１が着用者の大腿部や肌当接面側からの圧縮力により潰されることを防止することができるためである。
【００６４】
ここで、空隙部４１、４１の長手方向における長さとしては、例えば、１０ｍｍ以上であることが好ましい。さらに好ましくは、５０ｍｍから１００ｍｍを例示できる。また、空隙部４１、４１の幅方向における長さとしては、例えば、５ｍｍ以上であって、吸収体４の中央吸収部４５における幅方向の長さの５０％以下の範囲であることが好ましい。さらに好ましくは、５ｍｍから４０ｍｍの範囲であることを例示できる。
【００６５】
なお、本実施形態においては、空隙部４１、４１は、長手方向に沿うように延び、幅方向外側に突出する凸状に形成したが、本発明においてはこれに限らない。例えば、略台形状の空隙部が吸収体４の長手方向に伸びるように形成してもよい。このように、空隙部４１、４１は、幅方向の長さが全て異なるように長手方向に伸びる形状であってもよい。また、矩形の一部に半円状のものが取り付けたれたような形状であってもよい。このように、空隙部４１、４１は、長手方向における少なくとも一部において、幅方向の長さが異なるような形状であってもよい。また、長手方向に伸び、幅方向に突出する凸状の空隙部４１、４１の間に長手方向に伸びる１つの空隙部を設けてもよい。このように、空隙部は、複数設けてもよい。さらに、空隙部４１、４１は、湾曲した２以上の凸状部を形成してもよい。
【００６６】
また、本実施形態においては、空隙部４１、４１は、吸収体４の長手方向に伸び、幅方向を二分する略中心線Ｃに対し、互いに対称となる位置にそれぞれ設けたが、例えば、略中心線Ｃの線上に１つ設ける構成としてもよい。この場合、吸収体４は、略Ｖ字状に変形することにより、尿や便を収容するための収容部を形成し得るためである。また、空隙部４１、４１は、複数本設けてもよい。この場合、中央吸収部４５における吸収体４の面積が空隙部４１、４１の面積よりも５０％以上の範囲にあることが好ましい。例えば、吸収性材料を配置しない場合の空隙部４１、４１の面積が、中央吸収部４５における面積の５０％の範囲を超えると、中央吸収部４５において、尿等の排泄物が漏れるおそれが生じるためである。
【００６７】
ここで、空隙部４１、４１に代えて、吸収体４を構成する材料を少なくすることで肉薄に形成される肉薄部や、吸収体４をエンボス等により圧搾することにより形成される圧搾部を形成しても良い。
【００６８】
このように、使い捨ておむつ１は、中央吸収部４５に凸状部４２を設けることにより、吸収体４を幅広にすることができる。例えば、中央吸収部４５に後述する空隙部４１、４１を設けた場合においても、中央吸収部４５における吸収体４の面積を広くとることが可能になる。また、吸収性材料を配置しない空隙部４１、４１を設けることにより、上述の通り、凸状部４２、４２の屈曲を誘導すると共に、尿等の拡散・吸収速度を向上させることができる。
【００６９】
ここで、凸状部４２、４２は、少なくとも股下部２３において、空隙部４１、４１に挟まれる略中央領域４０よりも膨潤率が低く形成することが可能である。例えば、凸状部４２、４２は、略中央領域４０よりも目付け量が小さくなるように形成することができる。つまり、目付け量を調整して、目付けを小さくすることにより、膨潤率を低くすることができる。例えば、略中央領域４０の目付け量を５５０ｇ／ｍ２から６５０ｇ／ｍ２とすると、凸状部４２、４２における目付け量は、２２０ｇ／ｍ２から６２０ｇ／ｍ２とを例示することができる。言い換えると、略中央領域４０の目付け量に対し、凸状部４２、４２における目付け量を４０％から９５％以内の範囲にすることを例示できる。なお、略中央領域４０とは、図５（Ａ）に示す空隙部４１、４１のそれぞれの幅方向における略中心部を横切り、長手方向に伸びる線Ｌ、Ｒに挟まれる領域をいう。また、膨潤率とは、吸収体４を構成する吸収性材料の乾燥状態における体積に対し、湿潤状態における体積の変化の割合をいう。すなわち、膨潤率が高いほど、湿潤状態における体積の増加が多く、膨潤率が低いほど、湿潤状態における体積の増加が多くなることを示す。
【００７０】
このように、少なくとも股下部２３における凸状部４２、４２は、略中央領域４０よりも膨潤率を低く形成した場合、例えば、使い捨ておむつ１の着用時において、着用者の大腿部から圧縮力を受け凸状部４２、４２が着用者の肌当接面側に立ち上がるように変形した状態において、排便等を収容可能な空洞部４８の空間容積減少を抑制することができる。つまり、図７に示すように、変形後に形成される空洞部４８の立ち上り側壁を構成する凸状部４２、４２は、変形により底部に配置される略中央領域４０よりも膨潤率が低く形成されているため、膨潤により中央部方向（内側）に膨らむ量が少なく、空洞部４８の入り口を狭くすることや、排便等の収容容積の減少を抑制することが可能である。
【００７１】
［１．３．２］屈曲誘導部及び幅狭部
図５に示すように、吸収体４は、幅方向に狭くなるように形成される第１幅狭部１００と第２幅狭部１１０とを備える。第１幅狭部の両端には、該吸収体４の幅方向における側縁１９５、１９７で形成される切り欠き状の第１凹部４６、４６がそれぞれ形成される。同様に、第２幅狭部１１０の両端には、該吸収体４の幅方向における側縁１９５、１９７で形成される切り欠き状の第２凹部４７、４７がそれぞれ形成される。
【００７２】
中央吸収部４５の側縁１９５ｂ、１９７ｂは幅方向外側に膨らむ凸状に形成され、その一端側には切り欠き状に形成された第１凹部４６、４６が形成され、他端側には切り欠き状に形成された第２凹部４７、４７が形成される。言い換えると、第１凹部４６、４６は、前身頃側吸収部４３の側縁１９５ａ、１９７ａと、中央吸収部４５の側縁１９５ｂ、１９７とにより形成される。そして、第２凹部４７、４７は、後身頃側吸収部４４の側縁１９５ｃ、１９７ｃと、中央吸収部４５の側縁１９５ｂ、１９７とにより形成される。
【００７３】
ここで、第２幅狭部の両端に形成される第２凹部４７、４７の深さは、後身頃側の側縁１９５ｃ、１９７ｃを基準として、幅方向に、それぞれ１０ｍｍ以上であり、かつ、吸収体幅に対して２５％以下の寸法であることが好ましい。深さが１０ｍｍ以下では、吸収体４を構成する吸収コア（パルプ／ＳＡＰ）をラップする素材（ティッシュや親水性不織布等）により、第２凹部４７より股下側の吸収性コアの変形が背側の吸収性コアの変形に伝わってしまい、それぞれが独立した変形をする事ができない。また、吸収体幅の２５％以上では、吸収性コアの変形域が大きくなり着用時において、吸収性コアの縁が体に近い位置に存在するように変形するため、相対的に、吸収性コアの中心部は体からより離れた位置に存在することとなり、フィット感を失わせ、違和感を与えてしまう。
【００７４】
また、第２凹部４７における長手方向の寸法は、吸収体４の厚み以上であり、好ましくは吸収体４の厚みに対して２倍以上であることが望ましい。吸収体４の厚み以下では、第２凹部４７の長手方向前後の吸収性コア同士が干渉してしまい独立した変形を妨げてしまう場合がある。
【００７５】
また、第２凹部４７、４７における最も幅方向内側に突出する突端部は、中央吸収部４５における長手方向の中心より、後身頃２２側に形成されることが好ましい。突端部が中央吸収部４５の長手方向の中心よりも前身頃２１側に形成される場合には、排便等を収容する空洞部４８が前身頃２１側に形成され、好適に排便等を収容できない場合がある。
【００７６】
第１幅狭部１００及び第２幅狭部１１０は、吸収体４における所定領域が該吸収体４の厚さ方向に立ち上がるように屈曲することを誘導できる。具体的には、第１幅狭部１００は、前身頃側吸収部４３における屈曲を誘導する屈曲誘導部であり、第２幅狭部１１０は、後身頃側吸収部４４における屈曲を誘導する屈曲誘導部である。
【００７７】
特に、第２屈曲誘導部は、後身頃側吸収部４４を厚さ方向に立ち上がるように屈曲させ、排便等の後漏れを抑制すると共に、排便等を収容可能な空洞部４８（図７参照）を形成させる。ここで、空洞部４８は、屈曲した後身頃側吸収部４４と、中央吸収部４５における幅方向の中央域と、屈曲した側方領域である凸状部４２とにより、略カップ状に形成されることから、この変形に寄与する構造も重要である。例えば、第２凹部４７における凹状は深く、突端部における曲率半径が小さい（急な曲線）である場合、中央吸収部４５の凸状部４２、４２の変形を、後身頃側吸収部４４に影響を与えることを抑制できる場合がある。また、第２凹部４７、４７を構成する略直線の側縁（側縁１９５ｃ、１９７ｃそれぞれの一部）の延長上又はその近傍に、空隙部４１、４１の後身頃側端部が位置するよう該空隙部４１、４１を形成した場合も併せて例示できる。
【００７８】
ここで、第２幅狭部１１０の両端に形成される第２凹部４７、４７は、切り欠き状だけでなく、例えば、図１４に示す吸収体５００Ａのように、略Ｕ字の凹部であってもよい。更に、また、第２幅狭部１１０両端に第２凹部４７、４７を形成した場合だけでなく、例えば、図１５に示す吸収体５００Ｂのように、切り込み５０１、５０３を略Ｖ字にいれた場合でもよい。これにより、略Ｖ字の突端部と突端部との間は幅狭となる。更には、吸収体の側縁における所定の対向する位置に配置される吸収材料を少なくすることでも実質的に幅狭部を形成できる。
【００７９】
ここで、後身頃側吸収部４４を厚さ方向に立ち上がるように屈曲させる屈曲誘導部としては、上述した第２幅狭部の他、例えば、隣接する領域より吸収体４を構成する吸収材料の密度を低くすることで形成される低密度部や、隣接する領域より吸収体４を構成する材料の目付け量を小さくすることで形成される低目付部又は、異なる吸収体を離間して配置することで形成される離間部を例示することができる。
【００８０】
例えば、図１６に示す吸収体５００Ｃのように、前身頃側吸収部５１１及び後身頃側吸収部５１３においては吸収体４を構成する材料の密度を高くし、前身頃側吸収部５１１と後身頃側吸収部５１３との間の領域５１０における材料の密度を低くすることで、屈曲誘導部を形成することができる。
【００８１】
図１７（Ａ）又は（Ｂ）に示す吸収体５００Ｄのように、前身頃側吸収部５２１と後身頃側吸収部５２３との間の領域５２０に、例えば、所定強さの気体を噴きあてることで、吸収体４を構成する材料が少ない領域（低目付領域）を形成すると共に、この低目付領域の両側に材料の密度が高い高密度領域を形成することで、屈曲誘導部を形成することができる。
【００８２】
図１８に示す吸収体５００Ｆのように、前身頃側に配置される第１吸収体５５１と、後身頃側に配置される第２吸収体５５２とを所定間隔だけ離間させて配置することで、第１吸収体と第２吸収体の間の領域５５０を、吸収体が存在しない離間領域である屈曲誘導部を形成することができる。
【００８３】
［１．３．３］各種ギャザー及び弾性部材
図２又は図３に示すように、本実施形態における使い捨ておむつ１は、吸収体４の幅方向における両側縁近傍に長手方向に沿うように配置される、一対の第１伸縮性部材である弾性部材６１を備える。弾性部材６１は、防漏シート６２に防漏壁６の長手方向に沿うように配置される。そして、図２に示すように、弾性部材６１の長手方向における両端は、吸収体４の長手方向における前縁１９１近傍及び後縁１９３近傍にそれぞれ配置される。このように配置された防漏壁６は、吸収体４を図７に示すような略Ｕ字状に変形することに寄与する。
【００８４】
図１又は図２に示すように、シャーシー２の全部又は一部には、幅方向に延びるように複数の第３伸縮部材である弾性部材２６が配置される。複数の弾性部材２６は糸状又は帯状であり、複数の弾性部材２６は、長手方向に所定の間隔でそれぞれ略平行に配置される。そして、後身頃２２の全部又は一部に配置される弾性部材２６は、使い捨ておむつ１がずり下がること等を防止すると共に、少なくとも後身頃２２（着用時における胴回り領域）を着用者の身体側に押し当てる。これにより、後身頃側吸収部４４は、着用者の身体に押し当てられ、結果として、後身頃２２は、着用者の身体のライン（形状）に沿った状態で維持される。つまり、該後身頃側吸収部４４の幅方向に広がった状態となるので幅入りが抑制される。後身頃側吸収部４４の幅入りが抑制された状態で、吸収体４全体の変形が可能である。
【００８５】
図１又は図２に示すように、少なくとも装着時において、使い捨ておむつ１は、長手方向における前縁９１及び後縁９３により形成される胴開口８と、胴開口８と対向する側に形成されシャーシー２の幅方向における側縁９５、９７により形成される一対の脚開口７、７とを有するように形成される。そして、後身頃２２における脚開口７を形成する側縁９５ａ、９７ａに沿うように配置される、第２伸縮部材である弾性部材７２を備える。弾性部材７２は、レッグギャザー７１を構成する。この第２伸縮部材である弾性部材７２は、後身頃２２における側縁の一部である接合部２４ｂ、２４ｂの所定位置から、凹状部２０５の一部を構成する側縁９５ａ、９７ａに沿うように配置される。そして、第２伸縮部材である弾性部材７２、７２における吸収体４の長手方向内側（幅方向の内側でもある）に位置する端部は、第２幅狭部１１０の近傍に配置される。
【００８６】
弾性部材７２が、本実施形態とは異なる態様、例えば、前身頃２１から後身頃２２まで連続して形成されている場合（例えば、互い交差するように配置される場合や、中心線Ｃにおける同じ側を長手方向に延びるようにそれぞれ配置される場合を例示できる。）には、第２伸縮部材の少なくとも一部は、第２幅狭部の近傍に配置される。
【００８７】
ここで、第２伸縮部材である弾性部材７２、７２の端部（一部）が、第２幅狭部１１０の近傍であって、長手方向における後縁１９３側に配置されている場合には、後身頃側吸収部４４が、例えば、着用者の体に沿って幅入りすることなく装着される。
【００８８】
また、図９に示すように、弾性部材７２、７２の端部（一部）が、第２幅狭部１１０の近傍であって、吸収体４の長手方向における中心側に配置されている場合には、中央吸収部４５が、例えば、着用者の体に沿って、吸収体４の幅方向により広がった状態にて着用（装着）される。つまり、排便等を収容する空洞部４８を、より大きくして排便を好適に収容することが可能になる場合がある。
【００８９】
また、着用時においてその股下域に相当する吸収性コアは、防漏壁６（弾性部材６１）と空隙部４１、４１により、側縁１９５、１９７がより容易に体方向（吸収体４における厚さ方向）に立ち上がるように屈曲変形し、図７に示すような空洞部４８が形成される。三角錐状の空間が形成される。さらに、このように構成した使い捨ておむつ１では、幅方向に、中心線Ｃに対称な空隙部４１、４１が形成されていることから、中央吸収部４５の幅方向中心が着用者の体の中心に確実に配置可能になる場合がある。つまり、吸収体４の変形により形成された空洞部４８が、使い捨ておむつ１の着用時には、この着用者の体の中心に配置されるため、より確実に排便等を収容することが可能になる。これにより、排便等の漏れが大幅に低減される場合がある。
【００９０】
［１．３．４］使用態様
図７に示すように、装着状態において、吸収体４は長手方向においてＵ字状に変形し、後身頃側吸収部４４は、第２幅狭部１１０を屈曲線として吸収体４における厚さ方向に立ち上がるようにして屈曲する。
【００９１】
また、図５又は図６に示すように、中央吸収部４５において幅方向外側に配置される側方領域の凸状部４２、４２それぞれが、厚さ方向に立ち上がるようにして屈曲する。具体的には、図６（Ａ）に示す状態において、矢印で示すように幅方向外側から内側に力が加わることで、図６（Ｂ）に示すように、凸状部４２、４２がそれぞれ立ち上がるように屈曲する。そして、図６（Ｃ）に示すように、この変形状態においても、吸収体４全体では、薄いカップ状の収容部を形成する。
【００９２】
上記屈曲変形の後、図７又は図８に示すように、屈曲した後身頃側吸収部４４と、中央吸収部４５における幅方向の中央域と、屈曲した側方領域である凸状部４２とにより所定の空洞部４８を形成する。
【００９３】
屈曲した後身頃側吸収部４４と、中央吸収部４５における幅方向の中央域と、屈曲した側方領域である凸状部４２とにより、略カップ状に形成されることから、この変形に寄与する構造も重要である。例えば、第２凹部４７における凹状は深く、突端部における曲率半径が小さい（急な曲線）場合、中央吸収部４５の凸状部４２、４２の変形が、後身頃側吸収部４４に影響を与えることを抑制できる場合がある。また、第２凹部４７、４７を構成する略直線の側縁（側縁１９５ｃ、１９７ｃそれぞれの一部）の延長上又はその近傍に、空隙部４１、４１の後身頃側端部が位置するよう該空隙部４１、４１を形成した場合も併せて例示できる。
【００９４】
また、図６（Ａ）から（Ｄ）に示すように、使い捨ておむつ１の着用時に着用者の大腿部から矢印方向に圧縮力を受けた場合において、レッグギャザー７１（弾性部材７２）の引張応力等により、凸状部４２、４２が着用者の肌当接面側に立ち上がるように変形した場合においても、凸状部４２、４２の変形とは係わりなく前身頃側吸収部４３及び後身頃側吸収部４４を着用者の身体に沿って、湾曲した状態の変形を可能にすることができる。切り欠き状に形成された一対の第２凹部４７、４７のそれぞれを繋ぐ線、及び一対の第１凹部４６、４６のそれぞれを繋ぐ線が吸収体４の前身頃側吸収部４３及び後身頃側吸収部４４の変形時における折れ起点となり得るためである。
【００９５】
このように、前身頃側吸収部４３及び後身頃側吸収部４４が着用者の身体の形状に沿って、湾曲状に変形すると共に、吸収体４の幅方向において、凸状部４２、４２が肌当接面側に立ち上がるように変形することにより、使い捨ておむつ１は、図７に示すような空洞部４８を形成することができる。また、これにより、着用者に違和感を抱かせることなく、排便等の漏れを抑制することが可能な使い捨ておむつ１を提供することがえきる。
【００９６】
［２］第２実施形態
図１０から図１２により、本発明の第２実施形態におけるパンツ型の使い捨ておむつ１Ａを説明する。本実施形態における使い捨ておむつ１Ａは、第１実施形態における使い捨ておむつ１における吸収体４のみが異なる使い捨ておむつである。本実施形態においては、第１実施形態の吸収体４とは形状が異なる吸収体４Ａついて主に説明する。
【００９７】
本実施形態における吸収体４Ａは、中央吸収部４５Ａと、後身頃側吸収部４４Ａと、中央吸収部４５Ａと後身頃側吸収部４４Ａとの間に形成される第２幅狭部１１０Ａと、を備える。吸収体４Ａは、後身頃側吸収部４４を厚さ方向に立ち上がるように屈曲させる屈曲誘導部である第２幅狭部１１０Ａのみ形成される。第２幅狭部１１０Ａの両端には、第２凹部４７Ａ、４７Ａが形成される。
【００９８】
第２幅狭部１１０Ａは、後身頃側吸収部４４Ａを厚さ方向に立ち上がるように屈曲することを誘導し、例えば、図５（Ｂ）及び図６に示すように、例えば、使い捨ておむつ１Ａを着用（装着）する場合等において吸収体４ＡがＵ字状に変形する際に、後身頃側吸収部４４Ａを好適に屈曲変形させる。
【００９９】
屈曲誘導部である第２幅狭部１１０Ａにより、後身頃側吸収部４４Ａが厚さ方向に立ち上がるように屈曲変形することで、排便等の漏れを抑制することが可能となる。
【０１００】
本実施形態において、屈曲誘導部として幅狭部を形成した態様を説明したが、当然に、第１実施形態において例示された他の屈曲誘導部を適用することができる。
【０１０１】
［３］第３実施形態
図１３により、本発明の第３実施形態におけるオープン型の使い捨ておむつ１Ｂを説明する。本実施形態における使い捨ておむつ１Ｂは、第１実施形態における使い捨ておむつ１におけるシャーシー２のみが異なる使い捨ておむつである。本実施形態においては、第１実施形態のシャーシー２とは形状が異なるシャーシー２Ｂの吸収体４について主に説明する。
【０１０２】
本実施形態におけるシャーシー２Ｂは、略縦長状であり、幅方向における中央域には、吸収体４が長手方向に沿うように配置される。長手方向における吸収体４の後身頃側吸収部が配置される側の後縁側には、弾性部材７２０が配置される。弾性部材７２０は、シャーシー２Ｂにおける幅方向に伸縮可能に配置される。そして、弾性部材７２０の弾性部材の幅方向外側には、一対の係止部７１１、７１１が配置される。
【０１０３】
長手方向における吸収体４の前身頃側吸収部が配置される側の前縁側には、被係止部材７１０が配置される。被係止部材７１０は、シャーシー２Ｂの厚さ方向において吸収体４とは反対側の面に配置される。
【０１０４】
オープン型の使い捨ておむつ１Ｂを着用するには、前縁と後縁とで胴開口を形成するように装着し、係止部７１１、７１１を被係止部材７１０の外面に重ねるようにして係止する。これにより、シャーシー２Ｂの両側縁も一対の脚開口を形成し、装着される。
【０１０５】
オープン型の使い捨ておむつ１Ｂにおける吸収体４の屈曲等の変形は、第２実施形態に記載の通りである。本実施形態におけるオープン型のシャーシー２Ｂにおいても、吸収体４は、所定の屈曲変形をし、例えば、排便等を収容可能な空洞部を形成することができる。
【０１０６】
［４］各構成物
以下に、使い捨ておむつの各構成物について説明する。
【０１０７】
［４．１］シャーシー
シャーシー２は、使い捨ておむつ１の外形を構成する。シャーシー２は、一枚のシート状部材で構成されていても良く、複数のシート状部材が接着されて構成されていても良い。なお、本実施形態においては、使い捨ておむつ１は、前身頃２１及び後身頃２２を有するシャーシー２と、前身頃２１と後身頃２２との間に位置される股下部２３と、を備え、シャーシー２の所定位置に股下部２３を介して表面シート３、吸収体４及び裏面シート５が接合されるが、本発明においてはこれに限らない。例えば、シャーシー２が前身頃２１、後身頃２２及び前身頃２１と後身頃２２との間に位置される股下部２３を有し、シャーシー２の所定位置に表面シート３、吸収体４及び裏面シート５が配置されるものであってもよい。また、例えば、シャーシー２が前身頃２１及び後身頃２２を有し、表面シート３、吸収体４及び裏面シート５を有する股下部２３が独立してシャーシー２と接合させるものであってもよい。この場合、股下部２３における裏面シート５とシャーシー２とを接合してもよく、裏面シート５にシャーシー２の役割をもたせるものであってもよい。
【０１０８】
シャーシー２は、例えば、通気性であり、着用中に圧縮、捩れ、摩擦等による負荷がかかっても、破損しない強度を有し、肌に刺激を与えない材料が好ましく、不織布、或いは、有孔プラスチックシート等、通気性を有するシート状材料を用いることができる。不織布としては、ポリオレフィン系、ポリエステル系等の合成繊維をポイントボンド、エアスルー、スパンボンド等により形成したものを例示できる。不織布の材料としては、例えば、天然繊維、化学繊維を主体として、目付けが１５ｇ／ｍ２から３５ｇ／ｍ２の範囲から得られる材料を例示できる。天然繊維としては、コットン等のセルロースを例示できる。また、化学繊維としては、レーヨン、再生セルロース、アセテート、トリアセテート等の半合成セルロース、熱可塑性疎水性化学繊維、もしくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【０１０９】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【０１１０】
［４．２］表面シート
表面シート３は、使用時には身体側に配置されると共に排泄部に当接される。表面シート３は、全面が液透過性であっても良く、一部が液透過性であっても良い。また、一枚のシート状部材で構成されていても良く、複数のシート状部材が接着されて構成されていても良い。
【０１１１】
表面シート３としては、例えば、着用中に圧縮、捩れ、摩擦等による負荷がかかっても破損しない強度をもち、肌に刺激を与えない材料が好ましく、織布、不織布、或いは、有孔プラスチックシート等、液透過性を有するシート状材料を用いることができる。不織布としては、ポリオレフィン系、ポリエステル系等の疎水性繊維に親水処理を施したものをポイントボンド、エアスルー、スパンボンド等の製法により形成したものを例示できる。また、不織布の材料としては、例えば、天然繊維、化学繊維を主体として、目付けが１５ｇ／ｍ２から３５ｇ／ｍ２の範囲から得られる材料を例示できる。天然繊維としては、コットン等のセルロースを例示できる。また、化学繊維としては、レーヨン、再生セルロース、アセテート、トリアセテート等の半合成セルロース、熱可塑性疎水性化学繊維、もしくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【０１１２】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【０１１３】
［４．３］吸収体
吸収体４は、尿などの排出された体液を吸収、保持する。吸収体４としては、例えば、高吸収性ポリマーと親水性繊維とが混合されて積層されたもの、或いは、高吸収性ポリマーが親水性シートにホットメルト接着剤等により固定化された構造を有してもよい。また、高吸収性ポリマーとしては、例えば、ポリアクリル酸塩系、デンプン／アクリル酸塩系などの吸収性ポリマーで、その吸水可能倍率が２０ｇ／ｇ以上、その粒度が１００〜８００μｍであるものが８０％以上を占めるものを例示できる。親水性繊維としては、例えば、粉砕したパルプ繊維やレーヨン繊維などを例示できる。親水性シートとしては、ポリオレフィン系、ポリエステル系などの疎水性繊維に親水処理を施したものから形成されるポイントボンド、エアスルー、スパンボンドなどの不織布（目付け１５〜３５ｇ／ｍ２）を例示できる。ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものを例示できる。
【０１１４】
［４．４］裏面シート
裏面シート５としては、例えば、ポリエチレン（ＰＥ）、ポリプロピレン（ＰＰ）等を主体とした熱可塑性フィルム、通気性の樹脂フィルム、スパンボンド又はスパンレース等の不織布に通気性の樹脂フィルムを接合したもの、ＳＭＳ（スパンボンド・メルトブロー・スパンボンド）の複数層等を用いることができる。好ましくは、例えば、ポリオレフィン系の樹脂を主体とし、目付が１０ｇ／ｍ２から３０ｇ／ｍ２の範囲から得られる樹脂フィルムが好ましい。
【０１１５】
［４．５］弾性部材
弾性部材２６としては、例えば、天然ゴムや、スチレン−ブタジエン、ブタジエン、イソプレン等の合成ゴムを用いることができる。また、シート状の弾性部材２６としては、例えば、目付けが３０ｇ／ｍ２から８０ｇ／ｍ２の発泡ポリウレタン、目付けが２０ｇ／ｍ２から７０ｇ／ｍ２のポリウレタンとポリプロピレンとの混合繊維から形成される不織布等を用いることができる。
【０１１６】
［４．６］接着剤
表面シート３及び吸収体４とシャーシー２とは、それぞれがホットメルト接着剤により貼り合わされるようにして接合される。また、表面シート３と吸収体４とは、ホットメルト接着剤により貼り合わされるようにして接合される。なお、接合は、上記ホットメルト接着に限られず、例えば、熱シール、超音波シール等を単独又は組み合わせて使用してもよい。
【０１１７】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものを例示できる。ホットメルト接着により接合した場合における塗工パターンは、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、更には３ｇ／ｍ２から１０ｇ／ｍ２であることが好ましい。また、接着剤が線状に塗工されているパターンの場合には、その線径は３０μｍから３００μｍであることが好ましい。
【図面の簡単な説明】
【０１１８】
【図１】本発明の実施形態に係る使い捨ておむつの斜視図である。
【図２】本発明の実施形態に係る使い捨ておむつを展開した状態を示す展開図である。
【図３】図２のＸ−Ｘ断面図である。
【図４】本発明の実施形態に係る使い捨ておむつの分解組立図である。
【図５】発明の実施形態に係る使い捨ておむつの吸収体を示す図である。
【図６】吸収体の変形状態を示す図である。
【図７】変形後の吸収体を示す斜視図である。
【図８】装着時における吸収体の状態を説明する図である。
【図９】第１実施形態の変形形態に係る使い捨ておむつを展開した状態を示す展開図である。
【図１０】第２実施形態に係る使い捨ておむつを展開した状態を示す展開図である。
【図１１】（Ａ）は第２実施形態に係る使い捨ておむつにおける吸収体の正面図であり、（Ｂ）は、変形後の吸収体を示す斜視図である。
【図１２】装着時における吸収体の状態を説明する図である。
【図１３】第３実施形態に係る使い捨ておむつを展開した状態を示す展開図である。
【図１４】吸収体の変形形態を示す平面図である。
【図１５】吸収体の変形形態を示す平面図である。
【図１６】吸収体の変形形態を示す平面図である。
【図１７】（Ａ）は、吸収体の変形形態を示す平面図である。（Ｂ）は、（Ａ）のＹ―Ｙ断面図である。
【図１８】吸収体の変形形態を示す平面図である。
【符号の説明】
【０１１９】
１      使い捨ておむつ
２      シャーシー
３      表面シート
４      吸収体
５      裏面シート
６      防漏壁
７      脚開口
８      胴開口
２１    前身頃
２２    後身頃
２３    股下部
４１    空隙部
４２    凸状部
４６    第１凹部
４７    第２凹部
１００  第１幅狭部
１１０  第２幅狭部
【図１】
2008012197.tif 000003
【図２】
2008012197.tif 000004
【図３】
2008012197.tif 000005
【図４】
2008012197.tif 000006
【図５】
2008012197.tif 000007
【図６】
2008012197.tif 000008
【図７】
2008012197.tif 000009
【図８】
2008012197.tif 000010
【図９】
2008012197.tif 000011
【図１０】
2008012197.tif 000012
【図１１】
2008012197.tif 000013
【図１２】
2008012197.tif 000014
【図１３】
2008012197.tif 000015
【図１４】
2008012197.tif 000016
【図１５】
2008012197.tif 000017
【図１６】
2008012197.tif 000018
【図１７】
2008012197.tif 000019
【図１８】
2008012197.tif 000020